(57)【要約】      （修正有）【課題】一時保留部を様々な利用態様に対応可能な貨幣処理装置を提供する。【解決手段】貨幣を入金する貨幣処理装置１を、入金処理時に貨幣が投入される入金部６０と、貨幣の収納、及び収納した貨幣の繰り出しを行う複数の収納繰出部１１、２１，２２，３１，３２、４１と、複数の収納繰出部の中から選択された少なくとも１つの収納繰出部を一時保留部に設定し、入金部に投入された貨幣を一時保留部に設定された収納繰出部に一時保留する入金処理を実行する。【選択図】図１
2017199143.tif 000002
【特許請求の範囲】
【請求項１】
貨幣を入金する貨幣処理装置であって、
入金処理時に貨幣が投入される入金部と、
貨幣の収納、及び収納した貨幣の繰り出しを行う複数の収納繰出部と、
前記複数の収納繰出部の中から選択された少なくとも１つの収納繰出部を一時保留部に設定し、前記入金部に投入された貨幣を前記一時保留部に設定された収納繰出部に一時保留する入金処理を実行する制御部と
を備えることを特徴とする貨幣処理装置。
【請求項２】
前記複数の収納繰出部は、収納可能な貨幣枚数が異なる複数種類の収納繰出部を含み、
前記制御部は、１回の入金処理で処理される貨幣の最大枚数に基づいて、少なくとも１つの収納繰出部を一時保留部に設定する
ことを特徴とする請求項１に記載の貨幣処理装置。
【請求項３】
前記制御部は、
収納繰出部を一時保留部に設定して入金処理を行う際には、
前記入金部に投入された貨幣のうち、
一時保留部に設定された収納繰出部以外の収納繰出部に金種が割り当てられている貨幣は、対応する収納繰出部に一時保留して、
一時保留部に設定された収納繰出部以外の収納繰出部に金種が割り当てられていない貨幣は、一時保留部に設定された収納繰出部に一時保留する
ことを特徴とする請求項１又は２に記載の貨幣処理装置。
【請求項４】
貨幣を繰り出すことなく収納のみを行う収納部
をさらに備え、
前記制御部は、一時保留部に設定された前記収納繰出部に貨幣を一時保留した状態で前記入金処理が確定されると、一時保留部に設定された前記収納繰出部から、一時保留されている貨幣を繰り出して前記収納部に収納する
ことを特徴とする請求項３に記載の貨幣処理装置。
【請求項５】
貨幣が投出される出金部
をさらに備え、
前記制御部は、
前記収納繰出部から繰り出した貨幣を前記出金部に投出する出金処理を行うとともに、
前記入金処理の確定後に続けて前記出金処理を行う場合には、一時保留部に設定された前記収納繰出部から、一時保留されている貨幣を繰り出して前記収納部に収納する収納処理と、前記出金処理とのいずれを先に実行するかを決定する
ことを特徴とする請求項４に記載の貨幣処理装置。
【請求項６】
貨幣が投出される出金部
をさらに備え、
前記制御部は、前記収納繰出部に貨幣を一時保留した状態で前記入金処理がキャンセルされると、一時保留部に設定された収納繰出部を含む全ての前記収納繰出部から、一時保留されている貨幣を繰り出して前記出金部へ返却する
ことを特徴とする請求項３又は４に記載の貨幣処理装置。
【請求項７】
前記制御部は、貨幣が収納されていない空の収納繰出部を一時保留部に設定して、一時保留部に設定した前記収納繰出部には、入金処理時に一時保留する貨幣のみを収納することを特徴とする請求項１〜６のいずれか１項に記載の貨幣処理装置。
【請求項８】
貨幣が収納されている収納繰出部を一時保留部に設定して、入金処理時には、収納済貨幣に続けて貨幣を収納することにより該貨幣を一時保留することを特徴とする請求項１〜６のいずれか１項に記載の貨幣処理装置。
【請求項９】
前記制御部は、予め設定された所定条件を満たす収納繰出部を一時保留部に設定することを特徴とする請求項１〜８のいずれか１項に記載の貨幣処理装置。
【請求項１０】
前記制御部は、所定条件を満たす収納繰出部が複数ある場合には、予め設定された優先順位判定条件に基づいて優先順位を判定して、一時保留部に設定する収納繰出部を決定することを特徴とする請求項９に記載の貨幣処理装置。
【請求項１１】
前記制御部は、収納繰出部に収納されている貨幣の金種、収納繰出部に収納されている貨幣の枚数、及び収納繰出部に収納可能な貨幣の最大枚数のうち少なくともいずれか１つについて設定された優先順位判定条件に基づいて優先順位を判定することを特徴とする請求項１０に記載の貨幣処理装置。
【請求項１２】
各収納繰出部は、回転体の外周に巻き取るテープの間に貨幣を挟み込んで収納すると共に、前記回転体を収納時と逆方向に回転して前記貨幣を繰り出すテープ式収納繰出部であることを特徴とする請求項１〜１１のいずれか１項に記載の貨幣処理装置。
【請求項１３】
全ての収納繰出部が金庫内に設けられていることを特徴とする請求項１〜１２のいずれか１項に記載の貨幣処理装置。
【請求項１４】
複数の収納繰出部が１つの収納ユニット内に設けられていることを特徴とする請求項１〜１３のいずれか１項に記載の貨幣処理装置。
【請求項１５】
前記収納ユニットは、装置に対して着脱可能に設けられていることを特徴とする請求項１４に記載の貨幣処理装置。
【発明の詳細な説明】
【技術分野】
【０００１】
この発明は、入金処理を行う貨幣処理装置に関し、特に、入金処理時に入金処理が確定するまで貨幣を一時保留する貨幣処理装置に関する。
【背景技術】
【０００２】
従来、入金部に受けた貨幣を識別計数して収納部に収納する入金処理を行う貨幣処理装置が利用されている。貨幣処理装置では、収納部に収納している貨幣を繰り出して出金部へ投出する出金処理を行うこともできる。貨幣処理装置の中には一時保留部を有するものがある。
【０００３】
例えば、一時保留部を利用する紙幣処理装置では、入金処理時に、識別計数した紙幣を一時保留部に一時保留して、入金処理がキャンセルされた場合には、一時保留部に一時保留していた紙幣を出金部へ投出することができる。例えば、金融機関や店舗等で顧客から預かった紙幣の入金処理を行っている間に、顧客が入金処理をキャンセルすると、顧客から預かった紙幣現物をそのまま顧客へ返却することができる。
【０００４】
特許文献１に記載された紙幣処理装置には一時保留部が設けられていない。この装置では、入金された紙幣が識別計数後に直接収納部へ収納されるので、入金処理がキャンセルされた場合は、収納部から紙幣を繰り出して返却することになる。ところが、入金された紙幣の金種によっては、紙幣を回収するための回収カセット等、紙幣を収納するだけで収納済紙幣を繰り出すことができない収納部に収納される場合がある。紙幣を回収カセットに直接収納した後で入金処理がキャンセルされると、この紙幣を返却することはできず、紙幣を繰出可能な別の収納部から、代わりの紙幣を繰り出して返却することになる。具体的には、例えば、一万円札の入金処理をキャンセルした顧客に、代わりの紙幣として１０枚の千円札を返却するような場合が生じて顧客が不満を持つ可能性がある。
【０００５】
一時保留部を利用すれば、入金処理のキャンセル時に、入金しようとした紙幣現物を返却できるが、入金処理がキャンセルされずに確定した場合には、一時保留部に一時保留した全ての紙幣を収納部へ搬送して収納する処理が必要となる。この処理を終了するまで次の入金処理や出金処理を行うことができない。このように、一時保留部の利用には有利な点と不利な点とがあり、紙幣処理装置の利用者の中には、一時保留部の利用を望む利用者と望まない利用者がいる。このため、例えば特許文献２に記載された紙幣処理装置では、一時保留部を有する装置構成として、一時保留部を利用するか否かを設定により変更できるようになっている。
【先行技術文献】
【特許文献】
【０００６】
【特許文献１】特開２０１４−１０６７２号公報
【特許文献２】特許第５６１６０７５号公報
【発明の概要】
【発明が解決しようとする課題】
【０００７】
しかしながら、上記従来技術によれば、一時保留部を有効活用できない場合があった。具体的には、例えば一時保留部を備える紙幣処理装置を、一時保留部を利用しない設定で利用すると、一時保留部が無駄になる。また、様々な利用者に対応するため、大量の紙幣を同時に一時保留可能な一時保留部を設けても、１回の入金処理で入金される紙幣枚数が少ないと、一時保留部を有効活用できない。このため、利用者は、不要な一時保留部があるために、又は必要以上に大容量の一時保留部があるために、紙幣処理装置の購入価格が高くなっている、装置が大型化している等の不満を抱くことがある。
【０００８】
本発明は、上述した従来技術による問題点を解消するためになされたもので、一時保留部の様々な利用態様に柔軟に対応できる貨幣処理装置を提供することを目的とする。
【課題を解決するための手段】
【０００９】
上述した課題を解決し、目的を達成するため、本発明は、貨幣を入金する貨幣処理装置であって、入金処理時に貨幣が投入される入金部と、貨幣の収納、及び収納した貨幣の繰り出しを行う複数の収納繰出部と、前記複数の収納繰出部の中から選択された少なくとも１つの収納繰出部を一時保留部に設定し、前記入金部に投入された貨幣を前記一時保留部に設定された収納繰出部に一時保留する入金処理を実行する制御部とを備えることを特徴とする。
【００１０】
また、本発明は、上記発明において、前記複数の収納繰出部は、収納可能な貨幣枚数が異なる複数種類の収納繰出部を含み、前記制御部は、１回の入金処理で処理される貨幣の最大枚数に基づいて、少なくとも１つの収納繰出部を一時保留部に設定することを特徴とする。
【００１１】
また、本発明は、上記発明において、前記制御部は、収納繰出部を一時保留部に設定して入金処理を行う際には、前記入金部に投入された貨幣のうち、一時保留部に設定された収納繰出部以外の収納繰出部に金種が割り当てられている貨幣は、対応する収納繰出部に一時保留して、一時保留部に設定された収納繰出部以外の収納繰出部に金種が割り当てられていない貨幣は、一時保留部に設定された収納繰出部に一時保留することを特徴とする。
【００１２】
また、本発明は、上記発明において、貨幣を繰り出すことなく収納のみを行う収納部をさらに備え、前記制御部は、一時保留部に設定された前記収納繰出部に貨幣を一時保留した状態で前記入金処理が確定されると、一時保留部に設定された前記収納繰出部から、一時保留されている貨幣を繰り出して前記収納部に収納することを特徴とする。
【００１３】
また、本発明は、上記発明において、貨幣が投出される出金部をさらに備え、前記制御部は、前記収納繰出部から繰り出した貨幣を前記出金部に投出する出金処理を行うとともに、前記入金処理の確定後に続けて前記出金処理を行う場合には、一時保留部に設定された前記収納繰出部から、一時保留されている貨幣を繰り出して前記収納部に収納する収納処理と、前記出金処理とのいずれを先に実行するかを決定することを特徴とする。
【００１４】
また、本発明は、上記発明において、貨幣が投出される出金部をさらに備え、前記制御部は、前記収納繰出部に貨幣を一時保留した状態で前記入金処理がキャンセルされると、一時保留部に設定された収納繰出部を含む全ての前記収納繰出部から、一時保留されている貨幣を繰り出して前記出金部へ返却することを特徴とする。
【００１５】
また、本発明は、上記発明において、前記制御部は、貨幣が収納されていない空の収納繰出部を一時保留部に設定して、一時保留部に設定した前記収納繰出部には、入金処理時に一時保留する貨幣のみを収納することを特徴とする。
【００１６】
また、本発明は、上記発明において、貨幣が収納されている収納繰出部を一時保留部に設定して、入金処理時には、収納済貨幣に続けて貨幣を収納することにより該貨幣を一時保留することを特徴とする。
【００１７】
また、本発明は、上記発明において、前記制御部は、予め設定された所定条件を満たす収納繰出部を一時保留部に設定することを特徴とする。
【００１８】
また、本発明は、上記発明において、前記制御部は、所定条件を満たす収納繰出部が複数ある場合には、予め設定された優先順位判定条件に基づいて優先順位を判定して、一時保留部に設定する収納繰出部を決定することを特徴とする。
【００１９】
また、本発明は、上記発明において、前記制御部は、収納繰出部に収納されている貨幣の金種、収納繰出部に収納されている貨幣の枚数、及び収納繰出部に収納可能な貨幣の最大枚数のうち少なくともいずれか１つについて設定された優先順位判定条件に基づいて優先順位を判定することを特徴とする。
【００２０】
また、本発明は、上記発明において、各収納繰出部は、回転体の外周に巻き取るテープの間に貨幣を挟み込んで収納すると共に、前記回転体を収納時と逆方向に回転して前記貨幣を繰り出すテープ式収納繰出部であることを特徴とする。
【００２１】
また、本発明は、上記発明において、全ての収納繰出部が金庫内に設けられていることを特徴とする。
【００２２】
また、本発明は、上記発明において、複数の収納繰出部が１つの収納ユニット内に設けられていることを特徴とする。
【００２３】
また、本発明は、上記発明において、前記収納ユニットは、装置に対して着脱可能に設けられていることを特徴とする。
【発明の効果】
【００２４】
本発明に係る貨幣処理装置によれば、例えば、入金処理時に入金された貨幣を収納すると共に、出金処理時には、収納した貨幣を出金貨幣として繰り出して循環使用する収納繰出部を複数設けることにより、一時保留部を必要としない場合は、全ての収納繰出部を、循環使用する出金紙幣の収納部として利用することができる。一方、一時保留部を必要とする場合には、複数の収納繰出部の中から一時保留部として利用する収納繰出部を選択して、入金紙幣を一時保留する動作を実現することができる。
【図面の簡単な説明】
【００２５】
【図１】図１は、本実施形態に係る紙幣処理装置の内部構造概略を示す側面図である。
【図２】図２は、紙幣処理装置の機能構成概略を示すブロック図である。
【図３】図３は、紙幣を一時保留せずに行う入金処理、及び出金処理について、紙幣の動きを説明するための図である。
【図４】図４は、紙幣を一時保留して行う入金処理を説明するための図である。
【図５】図５は、紙幣を一時保留して行う入金処理で入金処理がキャンセルされた際及び入金処理が確定された際の紙幣の動きを説明するための図である。
【図６】図６は、紙幣を一時保留して行う入金処理の流れを示すフローチャートである。
【図７】図７は、スイッチバック搬送を説明するための図である。
【図８】図８は、一時保留した紙幣を、対応する収納部に搬送する別の例を説明するための図である。
【図９】図９は、一時保留部の動的設定の方法を説明するフローチャートである。
【図１０】図１０は、動的設定における収納繰出部の決定方法を説明するための図である。
【図１１】図１１は、入金部で紙幣を整列状態に揃える方法を説明するための図である。
【発明を実施するための形態】
【００２６】
以下に、添付図面を参照して、本発明に係る貨幣処理装置について詳細に説明する。本発明に係る貨幣処理装置は、例えば、店舗において、商品を購入する顧客が商品代金を支払うエリアに設置され、商品代金の入金を行う現金精算装置として利用される。通常、店舗の現金精算装置は、紙幣処理装置及び硬貨処理装置を含んで構成され、商品取引時には、紙幣及び硬貨の両方を処理対象として、入金処理に加えて、釣銭金を払い出す出金処理等の貨幣処理も実行する。硬貨の処理は紙幣と同様に行われるため、本実施形態では、現金精算装置として利用される貨幣処理装置について、バラ紙幣（以下、単に「紙幣」と記載する）を処理する紙幣処理装置を例に詳細を説明する。
【００２７】
紙幣処理装置は、店員が操作するＰＯＳレジスタ等、操作表示部を備える上位装置（図示せず）と通信可能に接続され、商品取引を行う際に、上位装置から商品代金等の情報を取得する。そして、顧客が支払った紙幣を入金する入金処理と、顧客が支払った金額から商品代金を差し引いた差額分を釣銭金として出金する出金処理とを実行する。具体的には、入金処理では、顧客から受け取った紙幣を識別計数して装置内の収納部に金種別に収納し、出金処理では、紙幣が金種別に収納されている収納部から、釣銭金を構成する紙幣を繰り出して装置外へ払い出す。なお、本実施形態では釣銭金を例に出金処理を説明するが、紙幣処理装置で行われる出金処理には、装置内から装置外へ紙幣を投出する処理が含まれる。具体的には、例えば銀行口座からの引き出し処理を行って、引き出した金額分の紙幣を装置外へ投出する処理や、入金処理のキャンセルを行って、返却する入金紙幣を装置外へ投出する処理も出金処理に含まれる。
【００２８】
本実施形態に係る紙幣処理装置は、紙幣の一時保留だけを行うために設けられた一時保留専用の一時保留部を有さず、入金処理で入金された紙幣を収納すると共に、出金処理時には、収納した紙幣を出金紙幣として繰り出して循環使用することができる複数の収納繰出部を有している。そして、一時保留部がない状態で入金処理を行うこともできるし、複数の収納繰出部の中から１又は複数の収納繰出部を選択して一時保留部に設定し、一時保留部を利用する入金処理を行うこともできる。紙幣処理装置は、収納可能な紙幣枚数が異なる複数種類の収納繰出部を含んでいるので、一時保留部を設定する際には、入金処理時の最大処理枚数に応じて適切な収納繰出部を選択することができる。また、同じ収納繰出部を常に一時保留部に固定して利用する固定設定の他、各収納繰出部に収納されている紙幣の種類や収納量等の所定条件に応じて一時保留部として利用する収納繰出部を動的に変更する動的設定で一時保留部を設定することも可能となっている。以下では、紙幣処理装置の構成、一時保留部を設定せずに行う入金処理、及び出金処理について説明した後、一時保留部を設定して行う入金処理と、一時保留部の設定方法について説明する。
【００２９】
まず、図１及び図２を参照しながら紙幣処理装置の構成について説明する。図１は、本実施形態に係る紙幣処理装置１の内部構造概略を示す側面図である。紙幣処理装置１は、上部ユニット２と下部ユニット３とに分かれている。大量の紙幣を収納する下部ユニット３は金庫になっており、下部ユニット３の紙幣処理装置前面側（図１右側）には、金庫の扉が設けられている。金庫の扉は通常施錠されており、解錠して扉を開かなければ、下部ユニット３内部に収納されている紙幣を装置外に取り出せないようになっている。
【００３０】
上部ユニット２には、入金部６０、識別部８０、出金リジェクト部９０及び出金部１００が設けられている。また、下部ユニット３には、第１収納ユニット１１０、第２収納ユニット１２０、第３収納ユニット１３０及び第４収納ユニット１４０と、回収カセット５０（回収収納部）とが設けられている。上部ユニット２内の各構成部と下部ユニット３内の各構成部とは搬送部７０によって接続されており、各部の間で紙幣を搬送できるようになっている。
【００３１】
搬送部７０は、装置内で紙幣を１枚ずつ搬送する搬送路と、搬送路の複数箇所に設けられた紙幣検知用の紙幣検知センサと、搬送路の分岐箇所に設けられた分岐部材とを含み、搬送路を搬送される紙幣の搬送位置を検知して、分岐部材を制御することにより紙幣の搬送先を制御する機能を有する。搬送部７０は、入金処理時には、上部ユニット２の入金部６０に受け付けた入金紙幣を下部ユニット３に向けて搬送し、出金処理時には、下部ユニット３内に収納されている出金紙幣を上部ユニット２の出金部１００に向けて搬送する。
【００３２】
入金部６０は、入金処理時に複数枚の紙幣を受け付けて、紙幣を１枚ずつ装置内の搬送路に繰り出す機能を有する。入金部６０では、紙幣が斜行状態で搬送路に繰り出されることがないように紙幣を整列状態に揃えてから繰り出すようになっているが詳細は後述する。
【００３３】
識別部８０は、搬送路に設けられ、搬送部７０によって搬送される紙幣の金種、真偽、正損、新旧等を識別する機能を有する。入金処理時には、識別部８０が、入金部６０から搬送路に繰り出された各紙幣を識別して、紙幣の搬送先が決定され、この決定に基づいて搬送部７０が紙幣を搬送する。
【００３４】
出金リジェクト部９０は、出金処理時に、出金できない紙幣を出金リジェクト紙幣として収納するために利用される。出金部１００は、複数枚の紙幣を投出する機能を有する。また、出金部１００は、入金処理時に識別部８０で識別できなかった紙幣を、入金リジェクト紙幣として返却するためにも利用される。出金部１００は、通常、シャッタによって閉塞されているが、出金リジェクト紙幣や出金紙幣が出金部１００に排出された際にシャッタが開き、出金部１００に集積された紙幣を取り出せるようになっている。
【００３５】
図１に示す第１収納ユニット１１０及び第４収納ユニット１４０は、それぞれ内部に１つのドラム（回転体）１１、４１を有するシングルドラム式のテープ式収納部である。一方、第２収納ユニット１２０及び第３収納ユニット１３０は、それぞれ内部に２つのドラム（２１及び２２と３１及び３２）を有するデュアルドラム式のテープ式収納部である。
【００３６】
テープ式収納部では、ドラムを回転させて、テープと一緒に紙幣をドラムの外周に巻き取りながら収納する。例えば、搬送路の紙幣を一対のテープの間に取り込み、間に紙幣を挟み込んだ一対のテープをドラムの外周に巻き取りながら収納する。また、収納時と逆方向にドラムを回転させて、一対のテープの間に挟み込んで巻き取った紙幣を搬送路へ繰り出せるようになっている。
【００３７】
第１収納ユニット１１０のドラム１１は、最大３００枚の紙幣を１枚ずつ収納すると共に、収納した紙幣を１枚ずつ繰り出す第１収納繰出部１１として機能する。第２収納ユニット１２０は、小径ドラム２１及び大径ドラム２２の２つのドラムを有し、小径ドラム２１は、最大１００枚の紙幣を１枚ずつ収納すると共に、収納した紙幣を１枚ずつ繰り出す第２Ａ収納繰出部２１として機能する。また、大径ドラム２２は、最大２００枚の紙幣を１枚ずつ収納すると共に、収納した紙幣を１枚ずつ繰り出す第２Ｂ収納繰出部２２として機能する。同様に、第３収納ユニット１３０は、小径ドラム３１及び大径ドラム３２の２つのドラムを有し、小径ドラム２１と同じ構造を有する最大収納枚数１００枚の小径ドラム３１が第３Ａ収納繰出部３１として機能し、大径ドラム２２と同じ構造を有する最大収納枚数２００枚の大径ドラム３２が第３Ｂ収納繰出部３２として機能する。また、第４収納ユニット１４０のドラム４１は、ドラム１１と同じ構造を有し、最大収納枚数３００枚の第４収納繰出部４１として機能する。
【００３８】
すなわち、紙幣処理装置１では、入金処理で入金される入金紙幣及び出金処理で出金される出金紙幣を収納するために、４つの収納ユニット１１０〜１４０によって、６つの収納繰出部１１〜４１を実現している。６つ収納繰出部１１〜４１では、金種等、収納する紙幣の種類を予め設定できるようになっており、入金処理時には、入金部６０に投入された各紙幣が、識別部８０による識別結果に基づいて、対応する収納繰出部に種類別に収納される。また、出金処理時には、出金紙幣が決定されると、出金紙幣を構成する各紙幣が、対応する収納繰出部から搬送路へ繰り出されて出金部１００に投出される。
【００３９】
なお、１つの収納ユニット内に設ける収納繰出部の数が１つ又は２つに限定されるものではなく３つ以上であってもよい。また、各収納繰出部の最大収納枚数は特に限定されず、例えば、第２収納ユニット１２０の各収納繰出部２１、２２の最大収納枚数を５０枚と１５０枚とする態様であってもよい。収納ユニット１１０〜１４０は、それぞれ紙幣処理装置１に対して着脱可能に設けられており、紙幣処理装置１の利用態様に応じて、装着する収納ユニットの種類の変更や、収納ユニットの位置の変更を行うことも可能となっている。
【００４０】
回収カセット５０は、紙幣処理装置１に対して着脱可能に設けられており、搬送部７０によって搬送された紙幣を収納する機能を有する。装置前面の金庫扉を開いて回収カセット５０を取り外すことにより、回収カセット５０に収納されている紙幣を回収カセット５０ごと回収できるようになっている。入金処理時には、収納する紙幣の種類が予め設定されている６つの収納繰出部１１〜４１に収納されない紙幣が、回収カセット５０に収納される。具体的には、例えば、６つの収納繰出部に割り当てられている金種とは異なる金種の紙幣が回収カセット５０に収納される。また、収納繰出部１１〜４１のいずれかが満杯状態の場合も、満杯状態の収納繰出部１１〜４１に割り当てられている金種の紙幣が回収カセット５０に収納される。なお、回収カセット５０は、収納した紙幣を再び搬送路へ繰り出すことはできず、回収カセット５０に収納された紙幣を出金処理時に出金紙幣として循環使用することはできない構造になっている。
【００４１】
図２は、紙幣処理装置１の機能構成概略を示すブロック図である。図１を参照しながら説明した構成部の他に、制御部２００、記憶部２１０及び通信部２２０を有している。制御部２００は、各構成部を制御して、後述する紙幣処理装置１の各機能及び動作を実現する機能を有する。記憶部２１０は、ハードディスクや半導体メモリ等の不揮発性の記憶装置から成り、紙幣処理を行うための設定や、紙幣処理時に得られた識別計数結果等の情報を保存するために利用される。通信部２２０は、ＰＯＳレジスタ等の上位装置との間でデータの送受信を行う機能を有し、紙幣処理装置１の利用者が上位装置で行う操作に応じて、紙幣処理装置１が入金処理や出金処理を実行するようになっている。
【００４２】
次に、図３を参照しながら、一時保留部を設定せずに行う入金処理と、出金処理とについて説明する。図３は、紙幣を一時保留せずに行う入金処理、及び出金処理について、紙幣の動きを説明するための図である。図３（ａ）は、入金部６０に投入された入金紙幣を一時保留せずに、対応する収納繰出部に直接収納する入金処理の紙幣の動きを示している。また、図３（ｂ）は、出金する紙幣を、対応する収納繰出部から繰り出して、出金部１００に投出する出金処理の紙幣の動きを示している。
【００４３】
一時保留部を必要としない利用者は、一時保留部を設定せず、入金処理時に一時保留部を利用しない設定で紙幣処理装置１を利用する。この設定で入金処理を実行すると、図３（ａ）に矢印で示すように紙幣が搬送される。具体的には、入金部６０に投入された紙幣は１枚ずつ装置内に繰り出され、搬送部７０によって搬送される。そして、識別部８０が紙幣の金種等を識別すると、制御部２００が紙幣の搬送先を決定する。例えば、識別部８０が金種を識別できない紙幣は下部ユニット３内へは搬送されず、入金リジェクト紙幣として上部ユニット２の出金部１００に搬送される。一方、識別部８０が金種等を識別した、下部ユニット３内に収納可能な紙幣の搬送先は、識別結果に基づいて決定される。
【００４４】
６つの収納繰出部１１〜４１には、収納する紙幣の金種が予め設定されているので、下部ユニット３内へ搬送された紙幣は、該紙幣の金種が割り当てられている収納繰出部に収納される。一方、紙幣の金種が収納繰出部に割り当てられていない場合は、この紙幣は回収カセット５０に収納される。なお、収納繰出部１１〜４１のいずれかが満杯状態の場合も、満杯状態の収納繰出部１１〜４１に割り当てられている金種の紙幣が回収カセット５０に収納される。全ての入金紙幣を識別部８０で識別して、収納繰出部１１〜４１又は回収カセット５０へ収納した後、入金紙幣の識別計数結果等を確認した紙幣処理装置１の利用者が入金処理を確定する操作を行うと入金処理を完了する。一方、利用者が入金処理をキャンセルした場合は、６つの収納繰出部１１〜４１に収納された入金紙幣は搬送路に繰り出され、出金部１００から返却される。また、回収カセット５０に収納された入金紙幣がある場合は、回収カセット５０に収納された紙幣現物を搬送路へ繰り出すことができないため、収納繰出部から代わりの紙幣が繰り出されて、出金部１００から返却されることになる。なお、返却処理時の紙幣の動きは、後述する出金処理の紙幣の動きと同じである。
【００４５】
紙幣処理装置１で出金処理を行う場合、制御部２００は、通信部２２０を介して、上位装置から出金紙幣の金種及び枚数を含む情報を取得する。そして、出金紙幣の金種が割り当てられている収納繰出部から１枚ずつ順に搬送路に紙幣を繰り出すと、図３（ｂ）に矢印で示すように、搬送部７０が、繰り出された紙幣を上部ユニット２に向けて搬送する。上部ユニット２では、出金可能な紙幣は出金部１００へ搬送されて投出される。一方、複数枚の紙幣の一部又は全部が重なった状態で搬送される重送等の搬送異常により出金できないと判定された紙幣は、出金リジェクト部９０へ搬送されて収納される。全ての出金紙幣を出金部１００へ投出すると出金処理を完了する。
【００４６】
次に、図４〜図６を参照しながら、一時保留部を設定して行う入金処理について説明する。図４は、紙幣を一時保留して行う入金処理を説明するための図である。図４（ａ）は、６つの収納繰出部１１〜４１のうち１つを一時保留部に設定して、他の収納繰出部には、収納する紙幣の金種を設定した例を示している。また、図４（ｂ）は、入金紙幣の一時保留動作を示している。
【００４７】
一時保留部を必要とする利用者は、入金処理時に一時保留部を利用する設定にして紙幣処理装置１を利用する。ただし、常に一時保留部を利用して入金処理を行う設定の他、紙幣処理装置１の利用者が所定操作を行った場合にのみ、一時保留部を利用して入金処理を行うように設定することもできる。具体的には、例えば、紙幣処理を選択するメニュー画面に、一時保留部を利用せずに入金処理を実行する入金ボタンと、一時保留部を利用して入金処理を実行する一保入金ボタンとを表示して、利用者が選択したボタンに応じて各入金処理を実行する。
【００４８】
一時保留部を利用する入金処理では、６つの収納繰出部１１〜４１の中から、１又は複数の収納繰出部を選択して、一時保留部として設定することができる。例えば、１回の入金処理で入金される紙幣の最大枚数を考慮して、一時保留部として利用する収納繰出部を選択する。具体的には、例えば１回の入金処理で入金する紙幣の最大枚数が１００枚に達することがなければ、最大１００枚の紙幣を収納できる第２Ａ収納繰出部２１又は第３Ａ収納繰出部３１を一時保留部に設定する。また、例えば、１回の入金処理で入金する紙幣の最大枚数が１００枚を超えることがあるが２００枚に達することはないという場合は、最大２００枚の紙幣を収納できる第２Ｂ収納繰出部２２又は第３Ｂ収納繰出部３２を一時保留部に設定する。また、最大４００枚の紙幣を入金することがある場合は、例えば第１収納繰出部１１及び第２Ａ収納繰出部２１の２つを一時保留部に設定する。
【００４９】
一時保留部として利用する収納繰出部を固定する固定設定にすると、一時保留部を利用する入金処理では、常に同じ収納繰出部が一時保留部として利用される。なお、一時保留部として利用する収納繰出部を固定する固定設定の他、各収納繰出部に収納されている紙幣の金種や枚数等の状況に応じて一時保留部として利用する収納繰出部を変更する動的設定を選択することもできるが、動的設定については後述する。
【００５０】
以下では、紙幣処理装置１が、ユーロ紙幣と、デンマーククローナ紙幣等、所定国で流通する外貨紙幣とを処理対象とし、図４（ａ）に示すように、予め、第１収納繰出部１１には５ユーロ紙幣を収納し、第２Ｂ収納繰出部２２には１０ユーロ紙幣を収納し、第３Ａ収納繰出部３１及び第３Ｂ収納繰出部３２には２０ユーロ紙幣を収納し、第４収納繰出部４１には５０ユーロ紙幣を収納するように設定され、第２Ａ収納繰出部２１が一時保留部に設定されたものとして説明する。なお、図４〜図７では、各収納繰出部１１〜４１に割り当てられている金種を四角形の中に示し、一時保留部に設定された第２Ａ収納繰出部２１を黒塗りして示している。
【００５１】
図４（ａ）に示すように設定されている場合、収納繰出部に収納する金種として設定されていない１００ユーロ紙幣、２００ユーロ紙幣、５００ユーロ紙幣が入金されると、これらの紙幣は、入金確定後には回収カセット５０に収納される。また、デンマーククローナ紙幣等の外貨紙幣が入金された場合も入金確定後に回収カセット５０に収納されることになる。
【００５２】
図４（ａ）に示すように、第２Ａ収納繰出部２１を一時保留部に設定して、第２Ａ収納繰出部２１を除く他の５つの収納繰出部に金種を割り当てた状態で、一時保留部を利用する入金処理が開始されると、入金部６０に投入された紙幣が識別部８０によって識別され、入金可能な紙幣が下部ユニット３へ搬送されて収納又は一時保留される。
【００５３】
具体的には、図４（ｂ）に示すように、入金紙幣が５ユーロ紙幣である場合は第１収納繰出部１１に収納され、１０ユーロ紙幣である場合は第２Ｂ収納繰出部２２へ収納される。また、入金紙幣が２０ユーロ紙幣である場合は第３Ａ収納繰出部３１又は第３Ｂ収納繰出部３２に収納され、５０ユーロ紙幣である場合は第４収納繰出部４１に収納される。すなわち、入金紙幣の金種が、一時保留部に設定された第２Ａ収納繰出部２１以外の収納繰出部に割り当てられている場合は、対応する金種の収納繰出部に直接収納される。
【００５４】
また、図４（ｂ）に示すように、入金紙幣が、１００ユーロ紙幣、２００ユーロ紙幣、５００ユーロ紙幣、又はデンマーククローナ紙幣等の外貨紙幣である場合、これらの紙幣は、一時保留部に設定された第２Ａ収納繰出部２１に一時保留される。なお、一時保留部に設定された第２Ａ収納繰出部２１以外の収納繰出部のいずれかが満杯状態の場合も、満杯状態の収納繰出部に割り当てられている金種の紙幣は、一時保留部に設定された第２Ａ収納繰出部２１に一時保留されることになる。すなわち、第２Ａ収納繰出部２１以外の収納繰出部に収納できない紙幣が、一時保留部に設定された第２Ａ収納繰出部２１に収納される。言い換えれば、入金確定時に回収カセット５０に収納される紙幣が、一時保留部に設定された第２Ａ収納繰出部２１に一時保留される。
【００５５】
紙幣を一時保留せずに行う入金処理では、図３（ａ）に示すように、入金可能な紙幣のうち、収納繰出部に金種が割り当てられていない金種の紙幣は、回収カセット５０に直接収納されるが、一時保留部を利用する入金処理では、入金確定後に回収カセット５０に収納されることになる紙幣が、一旦、一時保留部に設定された第２Ａ収納繰出部２１に収納される。
【００５６】
全ての入金紙幣を、一時保留部に設定された第２Ａ収納繰出部２１を含む６つの収納繰出部１１〜４１のいずれかに収納した状態で、紙幣処理装置１の利用者は、識別部８０による識別計数結果の確認等を行う。そして、利用者は、入金処理をキャンセルする操作又は入金処理を確定する操作を行う。
【００５７】
図５は、紙幣を一時保留して行う入金処理で入金処理がキャンセルされた際及び入金処理が確定された際の紙幣の動きを説明するための図である。図５（ａ）は入金処理がキャンセルされた場合を示し、同図（ｂ）は入金処理が確定された場合を示している。
【００５８】
入金処理がキャンセルされると、図５（ａ）に矢印で示すように、一時保留部に設定された第２Ａ収納繰出部２１を含む６つの収納繰出部１１〜４１から、収納されていた紙幣及び一時保留されていた紙幣が、順に搬送路に繰り出されて出金部１００から返却される返却処理が行われる。一時保留部に設定された第２Ａ収納繰出部２１以外の各収納繰出部については、入金処理時に各収納繰出部に収納された入金紙幣の枚数を記憶しておいて、入金処理がキャンセルされた場合には、それぞれの収納繰出部から、記憶した枚数分の紙幣を繰り出すことによって、返却処理を実行することができる。
【００５９】
一方、入金処理が確定すると、図５（ｂ）に矢印で示すように、一時保留部に設定された第２Ａ収納繰出部２１に一時保留されていた入金紙幣が１枚ずつ順に搬送路へ繰り出されて、対応する収納部に収納される。第２Ａ収納繰出部２１には、図４（ｂ）に示すように、収納繰出部に金種が割り当てられていない金種の紙幣や外貨紙幣等が一時保留されるので、これらの紙幣は、図５（ｂ）に示すように、回収カセット５０に収納されることになる。
【００６０】
このように、紙幣を一時保留して行う入金処理では、全ての入金紙幣が、一時保留部に設定された第２Ａ収納繰出部２１を含む６つの収納繰出部１１〜４１のいずれかに一旦収納されるので、入金処理がキャンセルされた場合には、図５（ａ）に示すように、全ての入金紙幣現物をそのまま出金部１００から返却することができる。また、紙幣を一時保留する入金処理で、入金処理が確定した場合は、一時保留部に設定された第２Ａ収納繰出部２１に一時保留していた紙幣を回収カセット５０へ移動させるだけで、第２Ａ収納繰出部２１以外の収納繰出部に収納した入金紙幣を移動させる必要がない。これにより、金種によらず全ての入金紙幣を１つの一時保留部に収納して、入金確定後に全ての一時保留紙幣を繰り出して対応する収納部に移動する場合に比べて、短時間で入金処理を終了することができる。
【００６１】
図６は、紙幣を一時保留して行う入金処理の流れを示すフローチャートである。入金部６０に紙幣を投入して入金処理を開始すると、入金部６０の紙幣が１枚ずつ装置内に繰り出される（ステップＳ１）。装置内に繰り出された紙幣は、搬送部７０によって搬送されて識別部８０によって識別される（ステップＳ２）。
【００６２】
制御部２００は、識別部８０で識別された紙幣の金種が、一時保留部に設定されている収納繰出部以外の収納繰出部に割り当てられているか否かを判定する（ステップＳ３）。紙幣の金種が、一時保留部に設定されている収納繰出部以外の収納繰出部に割り当てられている場合（ステップＳ３；Ｙｅｓ）、この紙幣は、金種が割り当てられている収納繰出部に収納される（ステップＳ４）。一方、紙幣の金種が、一時保留部に設定されている収納繰出部以外の収納繰出部に割り当てられていない場合（ステップＳ３；Ｙｅｓ）、この紙幣は、一時保留部に設定されている収納繰出部に収納されて一時保留状態となる（ステップＳ５）。なお、一時保留部に設定された収納繰出部以外の収納繰出部のいずれかが満杯状態の場合も、満杯状態の収納繰出部に割り当てられている金種の紙幣は、一時保留部に設定された収納繰出部に一時保留されることになる。すなわち、一時保留部以外の収納繰出部に収納可能な紙幣は、この収納繰出部に直接収納し、一時保留部以外の収納繰出部に収納できない紙幣だけを、一時保留部に設定された収納繰出部に収納することにより一時保留状態とする。
【００６３】
続いて制御部２００は、入金部６０に投入された全ての紙幣を、いずれかの収納繰出部に収納したか否かを判定する（ステップＳ６）。入金部６０に紙幣が残っている間は（ステップＳ６；Ｎｏ）、入金部６０から装置内に紙幣を繰り出して識別計数し、識別結果に応じて対応する収納繰出部に一時保留する処理（ステップＳ１〜Ｓ５）を繰り返す。
【００６４】
全ての紙幣がいずれかの収納繰出部に収納されると（ステップＳ６；Ｙｅｓ）、制御部２００は、紙幣処理装置１の利用者が、入金処理を確定する操作を行ったか否かを判定する（ステップＳ７）。
【００６５】
入金処理を確定する操作が行われた場合（ステップＳ７；Ｙｅｓ）、制御部２００は、一時保留部に設定された収納繰出部から、全ての紙幣を順に搬送路に繰り出し、対応する収納先へ搬送して（ステップＳ８）、入金処理を終了する。具体的には、繰り出された紙幣の金種が収納繰出部に割り当てられていない場合は、図５（ｂ）に示すように、回収カセット５０に収納される。
【００６６】
一方、入金処理をキャンセルする操作が行われた場合（ステップＳ７；Ｎｏ）、制御部２００は、入金紙幣が収納されている全ての収納繰出部、及び入金紙幣が一時保留されている収納繰出部から、全ての入金紙幣を順に繰り出す。そして、制御部２００は、繰り出した各紙幣を出金部１００へ搬送し、全ての入金紙幣を出金部１００から返却して（ステップＳ９）、入金処理を終了する。具体的には、一時保留部に設定された収納繰出部と、一時保留部に設定されていない収納繰出部との両方から、入金紙幣が順に繰り出されて図５（ａ）に示すように出金部１００から返却される。
【００６７】
店舗で現金精算装置として利用される紙幣処理装置１では、顧客から受け取った紙幣を入金する入金処理を行った後、必要に応じて釣銭金の出金処理が行われる。紙幣処理装置１では、顧客から受け取った紙幣の入金処理を確定する操作が行われた後、一時保留部に設定された収納繰出部から紙幣を繰り出して回収カセット５０に収納する収納処理（ステップＳ８）と、釣銭出金処理とのいずれを先に実行するかを設定できるようになっている。具体的には、常に、釣銭出金処理より収納処理を先に行うよう設定することもできるし、常に、収納処理より釣銭出金処理を先に行うよう設定することもできる。また、通常は釣銭出金処理よりも収納処理を先に行うが、顧客を長時間待たせることを避けるため、収納処理を完了するまでにかかる処理時間が予め設定した所定時間を超える場合には、収納処理より先に釣銭出金処理を行うように設定することもできる。この設定では、制御部２００が、収納処理に続いて釣銭出金処理を行う必要があるか否かを判定すると共に、釣銭出金処理を行う必要がある場合には、収納処理にかかる時間を算出して、算出結果に基づいて、収納処理と釣銭出金処理のいずれを先に行うかを決定する。そして、制御部２００は、決定した順序で収納処理及び釣銭出金処理を実行する。
【００６８】
図４及び図５では、一時保留部に設定された第２Ａ収納繰出部２１を除く、第１収納繰出部１１、第２Ｂ収納繰出部２２、第３Ａ収納繰出部３１、第３Ｂ収納繰出部３２及び第４収納繰出部４１の５つの収納繰出部に金種が割り当てられている紙幣は、対応する収納繰出部に収納して、これら５つの収納繰出部に金種が割り当てられていない紙幣のみを、一時保留部として機能する第２Ａ収納繰出部２１に一時保留する態様を示したが、紙幣処理装置１では、一時保留する紙幣の金種を予め設定することも可能となっている。
【００６９】
具体的には、例えば、全ての入金紙幣を、一時保留部に設定された第２Ａ収納繰出部２１に一時保留する設定とすることもできる。また、例えば、５つの収納繰出部に金種が割り当てられていない紙幣、すなわち入金確定後に回収カセット５０に収納される紙幣に加えて、５０ユーロ紙幣は、第４収納繰出部４１に収納せずに第２Ａ収納部繰出部２１に一時保留するというように、一時保留部として機能する第２Ａ収納繰出部２１に一時保留する金種を予め設定することもできる。この場合、紙幣を一時保留した状態で入金処理が確定されると、第２Ａ収納繰出部２１に一時保留されている紙幣を繰り出して、各紙幣を、対応する収納先へ分類して収納する処理が行われる。このとき、必要に応じて、紙幣をスイッチバックする搬送が行われる。
【００７０】
図７は、スイッチバック搬送を説明するための図である。例えば、第４収納繰出部４１に割り当てられた５０ユーロ紙幣が第２Ａ収納繰出部２１に一時保留された状態で入金処理が確定されると、この５０ユーロ紙幣が、図７（ａ）に矢印で示すように、搬送路上に繰り出されて上方に向けて所定距離搬送された後、搬送路上で停止する。そして、搬送方向を下方に変更するスイッチバック搬送を行って、図７（ｂ）に示すように、５０ユーロ紙幣を収納するよう設定されている第４収納繰出部４１に収納される。このように、一時保留部に設定された収納繰出部から繰り出されて上方に向けて搬送される紙幣の金種が、この収納繰出部より下方の収納繰出部に割り当てられている場合は、スイッチバック搬送を行って、この紙幣を対応する収納繰出部に収納できるようになっている。
【００７１】
なお、紙幣処理装置１における搬送部７０の構成が、図７に示すようにスイッチバック搬送を必要とする構成に限定されるものではなく、一時保留部に設定された収納繰出部から繰り出した紙幣を、スイッチバック搬送を行うことなく、別の収納繰出部に収納可能な構成であってもよい。図８は、一時保留した紙幣を、対応する収納部に搬送する別の例を説明するための図である。紙幣処理装置１の下部ユニット３内で上下方向に設けられた搬送路と、収納繰出部１１〜３２とを接続する搬送路を、図８（ａ）に示すように設ければ、これらの収納繰出部１１〜３２では、紙幣を上方に向けて繰り出すこともできるし、下方に向けて繰り出すこともできる。また、これらの収納繰出部１１〜３２では、上方から搬送されてきた紙幣を収納することもできるし、下方から搬送されてきた紙幣を収納することもできる。これにより、第４収納繰出部４１に割り当てられた５０ユーロ紙幣が第２Ａ収納繰出部２１に一時保留された状態で入金処理が確定された場合も、図８（ｂ）に矢印で示すように、この５０ユーロ紙幣を下方に向けて繰り出して、５０ユーロ紙幣を収納するよう設定されている第４収納繰出部４１に収納することができる。
【００７２】
次に、常に同じ収納繰出部を一時保留部に固定して利用するのではなく、一時保留部を利用する入金処理を行う際に、所定条件を満たす収納繰出部を自動的に選択して一時保留部に設定する動的設定について、図９及び図１０を参照しながら説明する。動的設定では、予め設定された判定条件を満たす収納繰出部を一時保留部に設定する。また、判定条件を満たす収納繰出部が複数ある場合には、優先度を判定して、一時保留部に設定する収納繰出部を決定する。
【００７３】
図９は、動的設定による入金処理を説明するフローチャートである。例えば、一時保留部を利用して入金処理を行う設定、かつ、動的設定により一時保留部とする収納繰出部を決定する設定として、入金処理を開始すると、図９に示す処理が開始される。
【００７４】
ただし、常に一時保留部を利用して入金処理を行う設定の他、紙幣処理装置１の利用者が所定操作を行った場合にのみ、動的設定によって設定した一時保留部を利用して入金処理を行うように設定することもできる。具体的には、例えば、紙幣処理を選択するメニュー画面に、一時保留部を利用せずに入金処理を実行する入金ボタンと、一時保留部を利用して入金処理を実行する一保入金ボタンとを表示して、利用者が選択したボタンに応じて各入金処理を実行する。この場合、一保入金ボタンを押して入金処理を開始すると、図９に示す処理が開始される。
【００７５】
なお、既に紙幣が収納されている収納繰出部を一時保留部として利用する場合には、一時保留する紙幣が、収納済紙幣の後に続けて収納されることになるが、テープ式収納部から成る収納繰出部を一時保留部として利用することで、紙幣を一時保留する動作、及び一時保留した紙幣を繰り出す動作を確実に行うことができる。
【００７６】
動的設定で一時保留部を利用する入金処理を開始すると、図９に示すように、制御部２００は、各収納繰出部１１〜４１の空き容量を確認する（ステップＳ１１）。制御部２００は、予め設定された所定枚数の空き容量を有する収納繰出部があるか否かを確認する（ステップＳ１２）。
【００７７】
そして、空き容量が所定枚数以上の収納繰出部がある場合（ステップＳ１１；Ｙｅｓ）、制御部２００は、一時保留部として利用する収納繰出部を決定する（ステップＳ１２）。そして、制御部２００は、決定した収納繰出部を一時保留部として利用しながら入金処理を実行して（ステップＳ１３）、図９に示す処理を終了する。なお、一時保留部として利用可能な収納繰出部が複数ある場合には、制御部２００が、予め設定された優先順位判定条件に基づいて優先順位を判定し、優先順位に基づいて一時保留部に設定する収納繰出部を決定するが、詳細は後述する。
【００７８】
一方、空き容量が所定枚数以上の収納繰出部がない場合（ステップＳ１１；Ｎｏ）、制御部２００は、一時保留部として利用可能な収納繰出部が存在せず、一時保留部を利用する入金処理は実行できないと判定する。続いて、制御部２００は、一時保留部を設定せずに入金処理を行うか否かを判定する（ステップＳ１４）。具体的には、制御部２００は、一時保留部として利用可能な収納繰出部が存在しないために一時保留部を利用する入金処理を実行できないことを示す情報と、代わりに一時保留部を利用しない入金処理を行うか、入金処理を中止するか、いずれかを選択するよう指示する情報とを、上位装置の操作表示部に表示する。
【００７９】
一時保留部を利用する入金処理は実行できないことを確認した紙幣処理装置１の利用者が、一時保留部を設定せずに入金処理を行うことを選択した場合（ステップＳ１４；Ｙｅｓ）、制御部２００は、図３を参照しながら説明したように、一時保留部を利用することなく入金処理を実行して（ステップＳ１５）、図９に示す処理を終了する。一方、利用者が、入金処理を中止することを選択した場合（ステップＳ１４；Ｎｏ）、制御部２００は、入金処理を行うことなく図９に示す処理を終了する。
【００８０】
このように、動的設定で一時保留部を設定する場合には、所定条件を満たす収納繰出部があれば、この収納繰出部を一時保留部に設定して入金処理を行う。また、所定条件を満たす収納繰出部がない場合には、一時保留部を設定せずに入金処理を行うか、入金処理を中止するかを選択できるようになっている。
【００８１】
次に、具体例を示しながら、図９のステップＳ１１及びＳ１２に示す収納繰出部の決定方法について説明する。図１０は、動的設定における収納繰出部の決定方法を説明するための図である。図１０（ａ）は、複数の収納繰出部１１〜４１の中から一時保留部として利用する収納繰出部の優先順位を判定するための優先順位判定条件である。また、図１０（ｂ）は、同図（ａ）に示す優先順位判定条件に基づいて、一時保留部として利用する収納繰出部を決定する例を示す図である。
【００８２】
なお、ここでは、収納繰出部が５０枚以上の空き容量を有する場合に一時保留部として設定可能と判定するものとする。また、図１０（ｂ）に示すように、５ユーロ紙幣を収納するよう設定された最大収納枚数３００枚の第１収納繰出部１１には２６０枚の紙幣が収納されており、１０ユーロ紙幣を収納するよう設定された最大収納枚数１００枚の第２Ａ収納繰出部２１及び最大収納枚数２００枚の第２Ｂ収納繰出部２２にはそれぞれ５０枚の紙幣が収納されており、１０ユーロ紙幣を収納するよう設定された最大収納枚数１００枚の第３Ａ収納繰出部３１には８０枚の紙幣が収納されており、１００ユーロ紙幣を収納するよう設定された最大収納枚数２００枚の第３Ｂ収納繰出部３２には１８０枚の紙幣が収納されており、２０ユーロ紙幣を収納するよう設定された最大収納枚数３００枚の第４収納繰出部４１には１２３枚の紙幣が収納されているものとする。
【００８３】
この場合、第２Ａ収納繰出部２１、第２Ｂ収納繰出部２２、第３Ａ収納繰出部３１、第４収納繰出部４１の空き容量が５０枚以上であるため、制御部２００は、空き容量が所定枚数以上の収納繰出部があると判定する。図１０（ｂ）で「空き容量≧５０」として示した行で、丸を付けた収納繰出部が、一時保留部として設定可能な収納繰出部である。
【００８４】
一時保留部として利用可能な収納繰出部が複数あるため、続いて、制御部２００は、図１０（ａ）に示す優先順位判定条件に基づいて優先順位を判定して、一時保留部として利用する収納繰出部を決定する。
【００８５】
制御部２００は、まず第１判定条件に基づいて、６つの収納繰出部１１〜４１の優先順位を判定する。図１０（ａ）に示すように、第１判定条件は、収納繰出部１１〜４１に収納するよう設定されている紙幣の金種が低額金種であるほど優先順位が高いと判定する判定条件である。第１判定条件では、図１０（ｂ）の第１判定条件の行に示したように、５ユーロ紙幣を収納するよう設定された第１収納繰出部１１の優先順位が１位、１０ユーロ紙幣を収納するよう設定された第２Ａ収納繰出部２１、第２Ｂ収納繰出部２２、第３Ａ収納繰出部３１の優先順位が２位、２０ユーロ紙幣を収納するよう設定された第４収納繰出部４１の優先順位が５位、１００ユーロ紙幣を収納するよう設定された第３Ｂ収納繰出部３２の優先順位が６位となる。
【００８６】
この結果、一時保留部として利用可能な４つの収納繰出部の優先順位は、図１０（ｂ）の第１判定条件の下に優先順位として示したように、第２Ａ収納繰出部２１、第２Ｂ収納繰出部２２、第３Ａ収納繰出部３１の３つの優先順位が１位となり、第４収納繰出部４１の優先順位が４位となる。なお、図１０（ｂ）では、一時保留部として利用可能な収納繰出部の優先順位が同じになった場合は、この順位を括弧で示している。
【００８７】
第１判定条件による判定で優先順位が決まると、制御部２００は、優先順位が１位の収納繰出部を一時保留部として利用すると決定するが、図１０（ｂ）に示すように、優先順位が１位となる収納繰出部が複数ある場合には、一時保留部として利用する収納繰出部を決定できない。このため、制御部２００は、続いて第２判定条件に基づく判定を行う。
【００８８】
制御部２００は、第２判定条件に基づいて、６つの収納繰出部１１〜４１の優先順位を判定する。図１０（ａ）に示すように、第２判定条件は、収納繰出部１１〜４１に収納中の紙幣の枚数が少ないほど優先順位が高いと判定する判定条件である。第２判定条件では、図１０（ｂ）の第２判定条件の行に示したように、５０枚の紙幣が収納されている第２Ａ収納繰出部２１及び第２Ｂ収納繰出部２２の優先順位が１位、８０枚の紙幣が収納されている第３Ａ収納繰出部３１の優先順位が３位、１２３枚の紙幣が収納されている第４収納繰出部４１の優先順位が４位、１８０枚の紙幣が収納されている第３Ｂ収納繰出部３２の優先順位が５位、２６０枚の紙幣が収納されている第１収納繰出部１１の優先順位が６位となる。
【００８９】
第１判定条件による判定で１位となった第２Ａ収納繰出部２１、第２Ｂ収納繰出部２２、第３Ａ収納繰出部３１について見ると、第２判定条件による判定では、第３Ａ収納繰出部３１の順位が低くなる。この結果、一時保留部として利用可能な４つの収納繰出部の優先順位は、図１０（ｂ）の第２判定条件の下に優先順位として示したように、第２Ａ収納繰出部２１及び第２Ｂ収納繰出部２２の２つの優先順位が１位、第３Ａ収納繰出部３１の優先順位が３位、第４収納繰出部４１の優先順位が４位となる。
【００９０】
第２判定条件による判定で優先順位が決まると、制御部２００は、優先順位が１位の収納繰出部を一時保留部として利用すると決定するが、図１０（ｂ）に示すように、優先順位が１位となる収納繰出部が複数ある場合には、一時保留部として利用する収納繰出部を決定できない。このため、制御部２００は、続いて第３判定条件に基づく判定を行う。
【００９１】
制御部２００は、第３判定条件に基づいて、６つの収納繰出部１１〜４１の優先順位を判定する。図１０（ａ）に示すように、第３判定条件は、収納繰出部１１〜４１の最大収納枚数が少ないほど優先順位が高いと判定する判定条件である。第３判定条件では、図１０（ｂ）の第３判定条件の行に示したように、最大収納枚数が１００枚の第２Ａ収納繰出部２１及び第３Ａ収納繰出部３１の優先順位が１位、最大収納枚数が２００枚の第２Ｂ収納繰出部２２及び第３Ｂ収納繰出部３２の優先順位が３位、最大収納枚数が３００枚の第１収納繰出部１１及び第４収納繰出部４１の優先順位が５位となる。
【００９２】
第２判定条件による判定で１位となった第２Ａ収納繰出部２１及び第２Ｂ収納繰出部２２について見ると、第３判定条件による判定では、第２Ｂ収納繰出部２２の順位が低くなる。この結果、一時保留部として利用可能な４つの収納繰出部の優先順位は、図１０（ｂ）の第３判定条件の下に優先順位として示したように、第２Ａ収納繰出部２１の優先順位が１位、第２Ｂ収納繰出部２２の優先順位が２位、第３Ａ収納繰出部３１の優先順位が３位、第４収納繰出部４１の優先順位が４位となる。
【００９３】
第３判定条件による判定で優先順位が決まると、制御部２００は、優先順位が１位の収納繰出部を一時保留部として利用すると決定する。第３判定条件で判定を行った結果、図１０（ｂ）に示すように、第２Ａ収納繰出部２１の優先順位が１位で、他に１位となる収納繰出部は存在しないので、制御部２００は、第２Ａ収納繰出部２１を一時保留部に設定することを決定する。
【００９４】
このように、制御部２００は、収納繰出部１１〜４１の空き容量に基づいて一時保留部として利用可能な収納繰出部を決定した後、一時保留部として利用可能な収納繰出部が複数ある場合には、図１０（ａ）に示すように予め設定されている優先順位判定条件に基づいて優先順位を決定して、優先順位が１位の収納繰出部を一時保留部として利用すると決定する。なお、複数の収納繰出部を一時保留部に設定する場合には、優先順位に基づいて、上位の収納繰出部から順に一時保留に設定される。
【００９５】
図１０（ｂ）では、第１判定条件〜第３判定条件によって、一時保留部に設定する収納繰出部を決定できる例を示したが、第３判定条件による判定を行っても同じ優先順位となる収納繰出部が複数ある場合には、さらに別の優先順位判定条件で優先順位を判定することになる。
【００９６】
優先順位判定条件の数、内容、判定順序等は、利用者の利用態様に応じて変更できるようになっている。例えば、図１０（ａ）に示す第１判定条件〜第３判定条件のように紙幣の種類や紙幣枚数を優先順位判定条件として設定する他、入金部６０から各収納繰出部までの搬送距離、各収納繰出部から回収カセット５０までの搬送距離、各収納繰出部の休止率、各収納繰出部の故障率を、優先順位判定条件とすることもできる。また、例えば、直近の所定回数の出金処理で出金された紙幣枚数や、判定前の所定時間内に行われた出金処理で出金された紙幣枚数を、優先順位判定条件とすることもできる。
【００９７】
例えば、入金紙幣を一時保留する際の搬送や、一時保留した入金紙幣を繰り出して対応する収納繰出部や回収カセット５０に収納する際の搬送で、搬送距離が短い収納繰出部の優先順位が高くなるように条件設定すれば、搬送路での紙幣詰まり等、搬送異常の発生確率を抑えることができる。また、例えば、故障率が低い収納繰出部の優先順位が高くなるように条件設定すれば、入金処理中の故障の発生確率を抑えることができる。また、休止率や紙幣の出金枚数に基づいて、各収納繰出部の間で紙幣の収納及び繰出を行った回数がなるべく等しくなるように、紙幣の収納及び繰出を行った回数が少ない収納繰出部の優先順位が高くなるように条件設定すれば、１つの収納繰出部で他に比べて異常に早く部品が摩耗するといった事態を回避することができる。
【００９８】
また、判定順序についても、例えば、図１０（ａ）に示す第１判定条件と第２判定条件の判定順序を入れ替えて、収納中の紙幣枚数が少ないことを最優先する設定とすることもできる。また、図１０（ａ）に示す判定順序のまま、第２判定条件に係る判定処理時に、紙幣が収納されていない空の収納繰出部があった場合には、他の判定条件に基づく優先順位によらず、空の収納繰出部を一時保留部とするように設定することもできる。また、各収納繰出部の優先順位を固定して、一時保留部として利用可能な収納繰出部が複数ある場合には、固定された優先順位に基づいて一時保留部を決定するように設定することもできる。
【００９９】
次に、入金部６０で紙幣を整列状態にする方法について説明する。紙幣処理装置１では、一時保留部を利用するか否かを選択して、大量の紙幣の入金処理を行うことができる。入金部６０から装置内の搬送路に繰り出される紙幣が傾いた状態で繰り出されて、斜行状態で搬送されると、搬送路での紙幣詰まり等の原因になるため、入金部６０では、紙幣を整列状態に揃えてから装置内に繰り出すようになっている。
【０１００】
図１１は、入金部６０で紙幣を整列状態に揃える方法を説明するための図である。図１１（ａ）は入金部６０を上方から見た図を示し、同図（ｂ）は入金部６０を側方から見た図を示している。なお、図１１（ｂ）では、入金部６０のステージ３１０上の紙幣４００（４００ａ、４００ｂ）を斜線で示している。
【０１０１】
図１１に示すように、入金部６０は、紙幣４００が載置されるステージ３１０と、ステージ３１０上に残っている紙幣４００を検知するための紙幣検知センサ１６０と、ステージ３１０の紙幣４００を１枚ずつに分離して、一番下から順に１枚ずつ装置内に繰り出すための逆転ローラ３３０及び繰出ベルト３４０と、ステージ３１０上の紙幣４００ａを左右両側（図１１（ａ）の上下両側）から叩いて揃えるための左右一対の紙幣揃レバー３００とを有している。
【０１０２】
図１１（ｂ）に示すソレノイド２６０が、ラック、ピニオン、バネ等から成る駆動機構２７０を駆動することにより、紙幣の左右幅に合わせて配置されている左右一対の紙幣揃レバー３００が一旦左右の両外側へ移動した後、元の配置位置へ戻る叩き動作を行うようになっている。叩き動作を行うことにより、ステージ３１０上の紙幣４００ａを、紙幣揃レバー３００で左右両外側から叩いて揃えることができる。
【０１０３】
図１１（ｂ）に示すように、ステージ３１０上に、紙幣揃レバー３００の上端を超えて大量の紙幣４００が載置されると、紙幣揃レバー３００による叩き動作を行った際に、紙幣揃レバー３００の上端より下側にある紙幣４００ａのみが揃えられて、上側にある紙幣４００ｂを揃えることができない。このため、紙幣処理装置１では、紙幣検知センサ１６０によってステージ３１０上の紙幣４００が検知されている間、紙幣揃レバー３００による叩き動作を繰り返し行うようになっている。具体的には、所定の時間間隔、又は所定枚数の紙幣４００が装置内に繰り出される度に、叩き動作が繰り返し行われる。
【０１０４】
ステージ３１０上の紙幣４００ａが一番下の紙幣から１枚ずつ順に装置内に繰り出されると、上側にある紙幣４００ｂが徐々に下方へおりてくる。紙幣揃レバー３００による叩き動作を繰り返し行えば、図１１（ｂ）に示すように紙幣揃レバー３００の上端よりも上側にあった紙幣４００ｂが、徐々に下方へおりてくるので、装置内に繰り出される前に、紙幣揃レバー３００で左右両外側から叩く叩き動作を行って揃えることが可能となる。
【０１０５】
本実施形態では、入金処理及び出金処理を実行する紙幣処理装置１を例に説明したが、入金処理を実行可能であれば、紙幣処理装置１で行われる他の紙幣処理については特に限定されない。例えば、紙幣処理装置１が、入金処理のみを受け付ける入金専用機である場合も、上述した各機能及び動作を実現することにより、一時保留部に係る様々な利用態様に対応することができる。なお、紙幣処理装置１が入金専用機である場合も、入金処理がキャンセルされたために入金紙幣を出金部１００へ投出して返却したり、紙幣処理装置１から紙幣を回収する際に収納繰出部１１〜４１から出金部１００へ紙幣を投出したりする出金処理動作が行われる。
【０１０６】
また、紙幣処理装置１の構成について、紙幣処理装置１が入金部６０及び出金部１００を有する態様を示したが、紙幣処理装置１が入金部６０のみを有し、入金部６０が出金部１００の機能を兼ねる態様であってもよい。また、収納繰出部１１〜４１がテープ式収納部に限定されるものではなく、紙幣を順に積み重ねて集積するスタック式収納部であってもよい。
【０１０７】
また、紙幣を一時保留するために設けられた専用の一時保留部と、複数の収納繰出部とを有する紙幣処理装置において、収納繰出部を対象として、上述した紙幣処理装置１の各機能及び動作を実現する態様であってもよい。例えば、１回の入金処理で入金される紙幣の枚数が、一時保留専用の一時保留部の最大収納枚数を超える場合に、収納繰出部を対象として、上述したように一時保留部を設定すれば、全ての入金紙幣を一時保留して入金処理を行うことができる。
【０１０８】
また、全ての紙幣を、一時保留せずに、予め金種が割り当てられた各収納繰出部へ直接収納する入金処理と、少なくとも一部の紙幣を、一時保留部に設定された収納繰出部に一時保留して行う入金処理とのいずれの入金処理を実行するかについては、いずれかの入金処理のみを実行するように固定する態様や、実行する入金処理の種類をメニュー画面で手動選択する態様に限定されるものではない。
【０１０９】
例えば、下部ユニット３へ収納することが決まった最初の入金紙幣の識別結果に基づいて、実行する入金処理の種類を自動的に選択する態様であってもよい。具体的には、例えば、６つの収納繰出部１１〜４１に予め金種を割り当てて、６金種の紙幣を各収納繰出部１１〜４１に収納可能な状態で入金処理を開始する。そして、識別部８０で識別した結果、下部ユニット３内へ収納することが決まった最初の入金紙幣が、予め収納繰出部１１〜４１に割り当てられている金種の紙幣であれば、一時保留せずに行う入金処理を実行する。一方、最初の入金紙幣が、予め収納繰出部１１〜４１に割り当てられている金種の紙幣ではなく、収納繰出部１１〜４１に収納できない紙幣、すなわち回収カセット５０に収納される種類の紙幣であれば、複数の収納繰出部１１〜４１の中から選択した少なくとも１つの収納繰出部を一時保留部に設定して、上述したように、紙幣を一時保留して行う入金処理を実行する。
【０１１０】
また、例えば、識別部８０による各紙幣の識別結果に基づいて、実行する入金処理の種類を自動的に選択する態様であっても構わない。具体的には、例えば、６つの収納繰出部１１〜４１に予め金種を割り当てて、６金種の紙幣を各収納繰出部１１〜４１に収納可能な状態で入金処理を開始する。そして、識別部８０で識別した結果、入金部６０に投入された全ての入金紙幣が、収納繰出部１１〜４１に割り当てられた６金種のいずれかの金種であれば、全ての入金紙幣を金種別に収納繰出部１１〜４１に収納して、一時保留せずに行う入金処理を実行する。一方、入金紙幣を識別部８０で識別している間に、収納繰出部１１〜４１に割り当てられた６金種以外の金種の入金紙幣が得られた場合には、複数の収納繰出部１１〜４１の中から選択した少なくとも１つの収納繰出部を一時保留部に設定する。そして、得られた入金紙幣を、一時保留に設定した収納繰出部に一時保留して、上述したように、紙幣を一時保留して行う入金処理を実行する。一時保留して行う入金処理を開始した後は、一時保留部に設定された収納繰出部に金種が割り当てられている紙幣も、この収納繰出部に一時保留されることになる。
【０１１１】
なお、本実施形態では紙幣処理装置１で紙幣を処理する場合を例に説明したが、硬貨の収納及び収納した硬貨の繰出を実行可能な複数の収納繰出部を有する硬貨処理装置においても、硬貨の収納繰出部を対象として、紙幣処理装置１について説明した各機能及び動作を実現して同様の効果を得ることができる。
【０１１２】
上述してきたように、本実施形態に係る紙幣処理装置１は、入金紙幣を一時保留するためだけに設けられた専用の一時保留部を有さず、循環使用する紙幣の収納及び繰出を行う収納繰出部１１〜４１と、循環使用しない紙幣を回収するための回収カセット５０とを有している。これにより、一時保留専用の一時保留部を設けることによる紙幣処理装置１の価格の上昇や大型化を回避することができる。一時保留部を必要としない利用者は、収納繰出部１１〜４１及び回収カセット５０の全てを有効に利用して、入金処理及び出金処理を行うことができる。
【０１１３】
また、一時保留部を必要とする利用者は、複数の収納繰出部１１〜４１の中から１又は複数の収納繰出部を選択して一時保留部として利用することができる。収納可能な紙幣枚数が異なる複数種類の収納繰出部１１〜２２が設けられているので、利用者は、例えば１回の入金処理で入金される紙幣の最大枚数に応じて収納繰出部を選択して一時保留部として利用することができる。
【０１１４】
また、紙幣処理装置１の利用者が、一時保留部として利用する収納繰出部を固定する固定設定の他、一時保留部として利用する収納繰出部を動的に変更する動的設定とすることも可能となっている。動的設定では、一時保留部に設定する収納繰出部を選択するための条件を予め設定することで、収納繰出部を選択して一時保留部に設定する動作が自動的に行われる。様々な条件を設定することができるので紙幣処理装置１の利用者の利用態様に柔軟に対応することができる。
【産業上の利用可能性】
【０１１５】
以上のように、本発明に係る貨幣処理装置は、一時保留部の様々な利用態様に柔軟に対応するために有用である。
【符号の説明】
【０１１６】
１  紙幣処理装置
２  上部ユニット
３  下部ユニット
１１、２１、２２、３１、３２、４１  収納繰出部（ドラム）
５０  回収カセット
６０  入金部
７０  搬送部
８０  識別部
９０  出金リジェクト部
１００  出金部
１１０、１２０、１３０、１４０  収納ユニット
１６０  紙幣検知センサ
２００  制御部
２１０  記憶部
２２０  通信部
２６０  ソレノイド
２７０  駆動機構
３００  紙幣揃レバー
３１０  ステージ
３３０  逆転ローラ
３４０  繰出ベルト
【図１】
2017199143.tif 000003
【図２】
2017199143.tif 000004
【図３】
2017199143.tif 000005
【図４】
2017199143.tif 000006
【図５】
2017199143.tif 000007
【図６】
2017199143.tif 000008
【図７】
2017199143.tif 000009
【図８】
2017199143.tif 000010
【図９】
2017199143.tif 000011
【図１０】
2017199143.tif 000012
【図１１】
2017199143.tif 000013